(57)【要約】【課題】新郎新婦の両親等に対する感謝の気持ちを、花束贈呈に代え、または花束贈呈とともに物理的／精神的な記念品として贈呈可能とする。【解決手段】音楽データ１１、音声データ１２、静止画データ１５、動画データ１６から選択される少なくとも一種類以上のデータ郡を、光学的記録媒体３、４に編集格納し、結婚披露宴の式次第の進行のうち両家からの挨拶に先立って、当該挨拶を行うべき両親等２に対して、新郎新婦１から前記光学的記録媒体３、４を手渡す。【選択図】　　図１
2004065523.tif 000002
【特許請求の範囲】
【請求項１】
音声データ、音楽データ、静止画データ、動画データから選択される少なくとも一種類以上のデータ郡を、光学的記録媒体に編集格納し、結婚披露宴の式次第の進行のうち両家からの挨拶に先立って、当該挨拶を行うべき両家関係者に対して、新郎新婦側から前記光学的記録媒体を手渡すことを特徴とする結婚披露宴の演出方法。
【発明の詳細な説明】
【０００１】
【発明の属する技術分野】
本発明は、新しいタイプの結婚披露宴の式次第の演出方法に関する。
【０００２】
【従来の技術】
ホテル等で行われる結婚披露宴の式次第は、概ね、開宴の挨拶から始まり、媒酌人の紹介、主賓の紹介、ケーキ入刀、乾杯と進んで披露宴の開始となる。そして、出席者のスピーチ、お色直し、祝電の披露等を経て、新郎新婦にスポットをあてたキャンドルサービスとなる。この後、スライド上映や、新郎新婦の同級生、先輩後輩等による校歌披露があり、ここで披露宴は一段落となるが、閉宴の前に、新郎新婦の両親や身内からの挨拶があり、それに先だって両親または親族に対して新郎新婦から花束贈呈が行われる。
【０００３】
式次第における花束贈呈は、多くの結婚披露宴において最も感動的なシーンであるとされる。新郎新婦の出生から今日までの成長の日々を思い起こし、目立たずに結婚披露宴を見守ってきた両親（または近しい親族；以下、両親等）の万感たる思いに出席者が同調して共に大きな喜びの感動を共有できるからである。
【０００４】
【発明が解決しようとする課題】
ところで、新郎新婦から両親（または近しい親族）に対する花束贈呈は、新郎新婦の感謝の気持ちが込められた象徴的な返礼行為であり、式次第の演出としても好ましいものである。
【０００５】
しかし、花束贈呈の如き感謝の象徴的な返礼行為とは別に、あるいはそれとともに、今日までの感謝の気持ちを新郎新婦から両親等に対して、物理的かつ精神的な性質の記念品として贈ることが出来るならば、新郎新婦も、それを受ける両親等も、その感慨はひとしおとなる。
【０００６】
そこで本発明の目的は、新郎新婦の両親等に対する感謝の気持ちを、物理的ないし精神的な記念品として贈呈可能とする点にある。
【０００７】
【課題を解決するための手段】
前記目的を達成するため、本発明に係る結婚披露宴の演出方法は、音声データ、音楽データ、静止画データ、動画データから選択される少なくとも一種類以上のデータ郡を、光学的記録媒体に編集格納し、結婚披露宴の式次第の進行のうち両家からの挨拶に先立って、当該挨拶を行うべき両家関係者に対して、新郎新婦側から前記光学的記録媒体を手渡す。
【０００８】
【作用】
本発明に係る結婚披露宴の演出方法は、結婚披露宴の式次第における花束贈呈とは別に、あるいはそれとともに、新郎新婦およびその家族や親族に関する音声、音楽、静止画、動画の各データを編集格納した光学的記録媒体（ＣＤまたはＤＶＤ）を、新郎新婦から両親等に手渡す点に特徴がある。
【０００９】
音声、音楽、静止画、動画の各データは、例えば両親等に対する感謝の気持ちを表現する新郎または新婦の音声（朗読）メッセージ、新郎新婦の出生時の鳴き声の録音データ、家族旅行の写真、子供時代に描いた絵、子供時代に書いた作文の朗読、成長過程で撮られた各種の写真、運動会や学芸会の際に撮影された各種の動画等である。
【００１０】
これらの各種データを組み合わせて編集することにより、音声音楽を主とするＣＤ、または音声と画像を組み合わせたＤＶＤを作成し、感謝の気持ちを込めて両親等に手渡すわけである。光学的記録媒体の種類（ＣＤ／ＤＶＤ）や枚数を制限する必要もないから、新郎新婦が希望する通りの内容（データボリューム）で光学的記録媒体を編集作成し、これを結婚披露宴において両親等に手渡す。
【００１１】
【発明の実施の形態】
図１は、本発明に係る結婚披露宴の演出方法の実施形態を例示する図である。本発明に係る結婚披露宴の演出方法は、式次第の終了間近に行われる花束贈呈に代えて、あるいは花束の贈呈とともに、新郎新婦１から両親等２に対して、例えばＣＤ４またはＤＶＤ５のような光学的記録媒体を手渡すものである。
【００１２】
光学的記録媒体（４、５）は、例えば、音楽データ１１、音声データ１２、静止画データ１５、動画データ１６を使用して、予め編集作成しておく。音楽データ１１と音声データ１２を組み合わせて使用すれば、音声音楽の記録媒体であるＣＤ４を作成でき、音楽データ１１、音声データ１２、静止画データ１５、動画データ１６を組み合わせて使用すれば、ビジュアル／サウンドの記録媒体であるＤＶＤ５を作成できる。
【００１３】
これらの各データのうち、とくに音声データ１２、静止画データ１５、動画データ１６は、新郎または新婦に直接または間接に関係するものを使用することが望ましい。音楽データ１１も同じであるが、音楽データ１１は、編集作品の内容に応じた雰囲気を生成する際にも必要であるから、必ずしも新郎新婦に関係するものを使用する必要はない。
【００１４】
具体的に云えば、音楽データ１１は、例えば、クラシック音楽、ポップス歌謡曲、ジャズ、ワールドミュージック系など、さまざまなジャンルから、とくに新郎新譜が好きだった楽曲、思い出の楽曲（例えば校歌）、あるいは新郎新婦の誕生時、成長時のエポックメーキングな時期に流行していた楽曲などを選び、また編集内容に応じて好ましい楽曲を選択して用いる。もちろん、複数の楽曲を用いて構わない。
【００１５】
音声データ１２は、新郎または新譜の両親等への感謝の気持ちを込めた朗読、新郎新婦の出生時や成長過程で録音されたさまざまな記録音、例えば、家族旅行時の音源や、運動会、学芸会、入学式、卒業式等における音源を利用する。ビデオムービーのように音声と画像が同時に保存されている記録媒体からの音源を利用しても良い。本発明に係る光学的記録媒体（４、５）の編集では、動画と音声（音楽）を切り離して自由なメモリアル作品を作成することが望ましい。
【００１６】
静止画データ１５は、例えば出生後の各種の写真やデジタル処理された動画媒体から取得した静止画像を利用する。また、スキャナ装置を介して光学的にデータ処理が可能な各種の記念物を編集内容に盛り込んでも良い。例えば、新郎新婦が子供時代に描いた絵、習字、作文などである。
【００１７】
動画データ１６は、新郎新婦の出生後に撮影されたビデオ記録データ、或いは新郎新譜の思い出の映画、あるいは成長過程の時代背景を象徴するようなニュース画像、当時流行していたテレビ番組などを利用することが出来る。
【００１８】
このように各種の音楽データ１１、音声データ１２、静止画データ１５、動画データ１６を利用して、新郎または新婦の両親等に対する編集作品を作り、これをＣＤ４またはＤＶＤ５のような記録媒体に保存し、手渡すことによって、従来の花束贈呈のような形式的象徴行為にとどまることなく、新郎新婦の両親等に対する感謝の気持ちを、より確実にそして十分に伝えることが可能となる。
【００１９】
なお、これとは逆に、両親等が新郎新婦に対してＣＤ（４）やＤＶＤ（５）を編集作成し、結婚披露宴において互いに交換し合っても良い。また、こうして作成されたＣＤ（４）やＤＶＤ（５）の内容は、披露宴出席者に対して一部を公開しても良い。とくに動画や静止画と音声／音楽が組み合わされた編集作品は、従来のスライド上映以上に披露宴出席者の興趣を惹起すると考えられる。
【００２０】
編集作成した光学的記録媒体（４、５）のジャケット（収納ケース）の表紙には、例えば新郎新婦の似顔絵をあらわすなど、記念すべき宴にふさわしい趣向をこらすことが望ましい。成長過程の記念すべき写真や絵を用いても良いことは勿論である。
【００２１】
【発明の効果】
以上説明したように、本発明に係る結婚披露宴の演出方法によれば、新郎新婦の両親等に対する感謝の気持ちを物理的／精神的な記念品として贈呈することが可能となる。
【図面の簡単な説明】
【図１】本発明に係る結婚披露宴の演出方法を例示するブロック図である。
【符号の説明】
１　新郎新婦
２　両親等
４　ＣＤ
５　ＤＶＤ
１１　音楽データ
１２　音声データ
１５　静止画データ
１６　動画データ
【図１】
2004065523.tif 000003